(57)【要約】      （修正有）【課題】スピーカーと非接触ＩＣカード技術方式「ＦｅｌｉＣａ（フェリカ）（登録商標）」対応カードリーダーを内蔵し、より効率的且つ効果的に情報の告知を実行するライトパネル型ＰＯＰ看板を提供する。【解決手段】組み込まれたＬＥＤ２を発光させるライトパネル本体１外部に、赤外線対人センサー３を設置し、人を感知すると、内蔵された音声装置４が感知し、ＲＯＭ５の音声データをスピーカー６より出力する。また内蔵されたカードリーダー７により、市販の携帯電話へＷＥＢサイトのＵＲＬを送信し、そのことにより、効率的且つ効果的に情報の告知が可能となる。【選択図】図１
0003150735.tif 000002
【実用新案登録請求の範囲】
【請求項１】
LEDライト付きパネルにスピーカーと非接触ICカード技術方式「FeliCa（フェリカ）」対応カードリーダーを内蔵し、より効率的且つ効果的に情報の告知を実行する告知ＰＯＰ看板
【考案の詳細な説明】
【技術分野】
【０００１】
本考案は、店頭やイベント会場、展示会等に活用できる告知方法及びこれらの告知装置（ＰＯＰ看板）に関するものである。
【背景技術】
【０００２】
これまでＰＯＰ看板として、高輝度LEDを搭載した告知用薄型ライトパネルが、各種店内や店頭、あるいは企業展示会等で設置・活用されている。また、同様のパネルに非接触ICカード技術方式「FeliCa（フェリカ）」の技術を搭載し、携帯電話にデータを送信し、各種サイトへアクセスさせるタイプも存在する。
【非特許文献１】なし
【考案の開示】
【考案が解決しようとする課題】
【０００３】
このようなＰＯＰ看板は、あくまで対象とする相手が興味を持ち、自ずと目を向けるのを待つという受動的な媒体であるといえ、十分な告知効果は得られているとはいえない。
さらにパネル上に表現できる情報量は限られており、相手に視覚的な印象を残せたとしても、本来提供したい情報は与えづらいという難点がある。
【課題を解決するための手段】
【０００４】
前述の欠点を解決し、能動的な告知媒体として活用できる機能を有させ、従来のＰＯＰ看板より効率的且つ効果的な情報の提供をする。本考案の広告媒体は、広告装置から相手へ視覚、聴覚、触覚といった感覚を刺激し、より告知効果をあげることを特徴とするものである。
【考案の効果】
【０００５】
前項の技術を同時に有することにより、人間の３つの感覚へ同時にアプローチができ、様々な職種や場所、シチュエーションを選ばない広告媒体としての活用が可能になる。
以上説明したように、本発明により、当該ＰＯＰ看板に人が近づくと音声で気を引き付け、広告効果、注目度の高めることができる。併せて、携帯電話を介して情報を提供することにより、いままでの路上広告及びＰＯＰ看板にはない深く有益な情報提供が実現する。
併せて、チラシ配り等で使われる人件費の削減や紙資源の節約にもつながり、さらに人物の接触がない時間が続く場合、音声出力及びFeliCa機能が必然的に停止するため、消費電力を抑えることができ、省エネルギーに貢献できる。
【考案を実施するための最良の形態】
【０００６】
まず聴覚に訴求させるべく、パネル内にスピーカーを設置。出力する音声はmp3データとしてROMカードに記憶し、音声装置を介してスピーカーから出力する。併せてパネルの周囲に設置できる赤外線センサーと連動。通行人等を感知して音声出力を開始させるようにする。
また、同じくパネル内に非接触ICカード技術方式「FeliCa（フェリカ）」対応のカードリーダーも搭載。市販の携帯電話（「おサイフケータイ」対応機種に限る）を近づけると、自動的に携帯電話のブラウザを起動させ、指定するURLのサイトに誘導する。
さらに、看板表面に高輝度LEDを使用したライトを使用。印刷した紙やフィルム等を自由に設置できるようにし、視覚へも鮮やかに訴えかける。
【実施例】
【０００７】
以下、図面を用いて本発明の実施の形態について詳細に説明する。なお、以下で説明する図面で、同一機能を有するものは同一符号を付け、その繰り返しの説明は省略する。
図１の１はライトパネル本体。１の前面に透明のアクリル板と印刷した紙もしくはフィルムをはめ込み、ＰＯＰ看板として告知情報を表現する。そこに２のパネルの両端に組み込まれたＬＥＤを発光させ、より告知を強調する。
【０００８】
３の赤外線対人センサーを１の外部に設置し、Ａの人を感知すると、４の音声装置へ信号を送る。すると、４に接続された５のＲＯＭにあらかじめ入力した音声データを、１の内部に設置した６のスピーカーより出力。そのことにより対外的に告知目的にあった内容のアピール呼びかけを行う。
【０００９】
１の内部に設置した７の非接触ICカード技術方式「FeliCa（フェリカ）」対応のカードリーダーにより、Ａが所持するBの市販の携帯電話（おサイフケータイ対応機種に限る）を１に指定した部分にかざすと、７がBを感知し、あらかじめ登録しておいたＷＥＢサイトのＵＲＬを送信。Bのブラウザを自動的に起動させる。７に登録するＵＲＬは、その告知内容に応じて変更できるようにしておく。
【００１０】
本考案は以上の実施案を全て踏まえたものが前提であるが、告知目的や設置場所に応じて、１の形状や防水加工の追加、６や７の内蔵の有無を決めることができる。
【図面の簡単な説明】
【００１１】
【図１】本考案のスピーカー及び非接触ICカードリーダー搭載ライトパネル（ＰＯＰ看板）の実施例を示す構成図である
【図２】本パネルの赤外線センサー設置使用例の図および本パネルのカードリーダー使用例の図である
【符号の説明】
【００１２】
１  パネル本体
２  高輝度ＬＥＤ
３  赤外線対人センサー
４  音声装置基盤
５  ＲＯＭ（音声データ入力済）
６  スピーカー
７  非接触ICカード技術方式「FeliCa（フェリカ）」対応カードリーダー
Ａ  人（通行人、顧客など）
Ｂ  市販の携帯電話（おサイフケータイ搭載）  
【図１】
0003150735.tif 000003
【図２】
0003150735.tif 000004
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
LEDライト付きパネルにスピーカーと非接触ICカード技術方式「FeliCa（フェリカ）（登録商標）」対応カードリーダーを内蔵し、より効率的且つ効果的に情報の告知を実行する告知ＰＯＰ看板
【手続補正２】
【補正対象書類名】明細書
【補正対象項目名】全文
【補正方法】変更
【補正の内容】
【考案の詳細な説明】
【技術分野】
【０００１】  本考案は、店頭やイベント会場、展示会等に活用できる告知方法及びこれらの告知装置（ＰＯＰ看板）に関するものである。
【背景技術】
【０００２】  これまでＰＯＰ看板として、高輝度LEDを搭載した告知用薄型ライトパネルが、各種店内や店頭、あるいは企業展示会等で設置・活用されている。また、同様のパネルに非接触ICカード技術方式「FeliCa（フェリカ）（登録商標）」の技術を搭載し、携帯電話にデータを送信し、各種サイトへアクセスさせるタイプも存在する。【非特許文献１】なし
【考案の開示】
【考案が解決しようとする課題】
【０００３】  このようなＰＯＰ看板は、あくまで対象とする相手が興味を持ち、自ずと目を向けるのを待つという受動的な媒体であるといえ、十分な告知効果は得られているとはいえない。  さらにパネル上に表現できる情報量は限られており、相手に視覚的な印象を残せたとしても、本来提供したい情報は与えづらいという難点がある。
【課題を解決するための手段】
【０００４】  前述の欠点を解決し、能動的な告知媒体として活用できる機能を有させ、従来のＰＯＰ看板より効率的且つ効果的な情報の提供をする。本考案の広告媒体は、広告装置から相手へ視覚、聴覚、触覚といった感覚を刺激し、より告知効果をあげることを特徴とするものである。
【考案の効果】
【０００５】  前項の技術を同時に有することにより、人間の３つの感覚へ同時にアプローチができ、様々な職種や場所、シチュエーションを選ばない広告媒体としての活用が可能になる。  以上説明したように、本発明により、当該ＰＯＰ看板に人が近づくと音声で気を引き付け、広告効果、注目度の高めることができる。併せて、携帯電話を介して情報を提供することにより、いままでの路上広告及びＰＯＰ看板にはない深く有益な情報提供が実現する。  併せて、チラシ配り等で使われる人件費の削減や紙資源の節約にもつながり、さらに人物の接触がない時間が続く場合、音声出力及びFelica（登録商標）機能が必然的に停止するため、消費電力を抑えることができ、省エネルギーに貢献できる。
【考案を実施するための最良の形態】
【０００６】  まず聴覚に訴求させるべく、パネル内にスピーカーを設置。出力する音声はmp3データとしてROMカードに記憶し、音声装置を介してスピーカーから出力する。併せてパネルの周囲に設置できる赤外線センサーと連動。通行人等を感知して音声出力を開始させるようにする。  また、同じくパネル内に非接触ICカード技術方式「FeliCa（フェリカ）（登録商標）」対応のカードリーダーも搭載。市販の携帯電話（「おサイフケータイ（登録商標）」対応機種に限る）を近づけると、自動的に携帯電話のブラウザを起動させ、指定するURLのサイトに誘導する。  さらに、看板表面に高輝度LEDを使用したライトを使用。印刷した紙やフィルム等を自由に設置できるようにし、視覚へも鮮やかに訴えかける。
【実施例】
【０００７】  以下、図面を用いて本発明の実施の形態について詳細に説明する。なお、以下で説明する図面で、同一機能を有するものは同一符号を付け、その繰り返しの説明は省略する。  図１の１はライトパネル本体。１の前面に透明のアクリル板と印刷した紙もしくはフィルムをはめ込み、ＰＯＰ看板として告知情報を表現する。そこに２のパネルの両端に組み込まれたＬＥＤを発光させ、より告知を強調する。【０００８】  ３の赤外線対人センサーを１の外部に設置し、Ａの人を感知すると、４の音声装置へ信号を送る。すると、４に接続された５のＲＯＭにあらかじめ入力した音声データを、１の内部に設置した６のスピーカーより出力。そのことにより対外的に告知目的にあった内容のアピール呼びかけを行う。【０００９】  １の内部に設置した７の非接触ICカード技術方式「FeliCa（フェリカ）（登録商標）」対応のカードリーダーにより、Ａが所持するBの市販の携帯電話（おサイフケータイ（登録商標）対応機種に限る）を１に指定した部分にかざすと、７がBを感知し、あらかじめ登録しておいたＷＥＢサイトのＵＲＬを送信。Bのブラウザを自動的に起動させる。７に登録するＵＲＬは、その告知内容に応じて変更できるようにしておく。【００１０】  本考案は以上の実施案を全て踏まえたものが前提であるが、告知目的や設置場所に応じて、１の形状や防水加工の追加、６や７の内蔵の有無を決めることができる。
【図面の簡単な説明】
【００１１】
【図１】本考案のスピーカー及び非接触ICカードリーダー搭載ライトパネル（ＰＯＰ看板）の実施例を示す構成図である
【図２】本パネルの赤外線センサー設置使用例の図および本パネルのカードリーダー使用例の図である
【符号の説明】
【００１２】１  パネル本体２  高輝度ＬＥＤ３  赤外線対人センサー４  音声装置基盤５  ＲＯＭ（音声データ入力済）６  スピーカー７  非接触ICカード技術方式「FeliCa（フェリカ）（登録商標）」対応カードリーダーＡ  人（通行人、顧客など）Ｂ  市販の携帯電話（おサイフケータイ（登録商標）搭載）  
【手続補正３】
【補正対象書類名】図面
【補正対象項目名】全図
【補正方法】変更
【補正の内容】
【図１】
0003150735.tif 000005
【図２】
0003150735.tif 000006